【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
少なくとも１つの光源に電力を供給するための回路であって、
一次巻線、および、光源に電力を供給するように結合された二次巻線を備える変圧器と、
前記一次巻線に結合された第１の端子、および、回路接地部に結合された第２の端子を有する検出抵抗器と、
前記一次巻線に結合された第１の電力端子、前記検出抵抗器に結合された第２の電力端子、および、第１の制御入力端子を備え、前記第１の制御入力端子の制御信号にしたがって、前記一次巻線に電流を流すように、前記第１および第２の電力端子を選択的に電気的に結合するように動作する第１のスイッチング装置と、
パルス幅変調回路であって、
ＰＷＭ制御入力部、検出電圧を受けるように前記検出抵抗器の前記第１の端子に結合された比較器入力部、および、前記ＰＷＭ制御入力部に少なくとも部分的にしたがって前記スイッチング装置の前記第１の制御入力端子にパルス幅変調制御信号を供給する駆動出力部を含む、パルス幅変調コントローラ、ならびに、
誤差入力部、および、前記パルス幅変調コントローラの前記ＰＷＭ制御入力部に信号を供給するように結合された出力部を含む、誤差増幅器を備える、パルス幅変調回路と、
前記変圧器の前記二次巻線から電気的に絶縁された推定器回路とを備え、前記推定器回路は、
前記パルス幅変調コントローラの前記比較器入力部に結合された第１の端子、および、前記誤差増幅器の前記誤差入力部に結合された第２の端子を有する、キャパシタンスと、
前記キャパシタンスの前記第２の端子に結合された第１の電力端子、前記回路接地部に結合された第２の電力端子、および、前記パルス幅変調コントローラの前記駆動出力部に結合された第２の制御入力端子を備え、前記パルス幅変調コントローラの前記駆動出力部にしたがって、前記第１のスイッチング装置が前記一次巻線に電流を流すとき、前記検出電圧に基づいて前記キャパシタンスを充電させるように前記キャパシタンスの前記第２の端子を前記回路接地部に選択的に結合するように動作し、前記第１のスイッチング装置が前記一次巻線に電流が流れるのを防止するとき、前記キャパシタンスに前記誤差増幅器の前記誤差入力部に信号を供給させるように前記キャパシタンスの前記第２の端子を前記回路接地部から分離するように動作する、第２のスイッチング装置とを備える、回路。
【請求項２】
前記ＰＷＭコントローラは遷移モードＰＷＭコントローラである、請求項１記載の回路。
【請求項３】
前記第２のスイッチング装置は、前記キャパシタンスの前記第２の端子に結合されたソース、前記回路接地部に結合されたドレイン、および、前記パルス幅変調コントローラの前記駆動出力部に結合されたゲートを有する、ｎチャネルＭＯＳＦＥＴである、請求項２記載の回路。
【請求項４】
前記遷移モードＰＷＭコントローラはゼロ交差検出入力部を含み、前記回路は、前記遷移モードＰＷＭコントローラに結合されたゼロ交差検出回路をさらに備え、前記ゼロ交差検出回路は、前記一次巻線に磁気的に結合された少なくとも１つの検出巻線を含み、前記ゼロ交差回路は、前記少なくとも１つの検出巻線を使用して前記一次巻線のゼロ交差状態を検出し、前記一次巻線の検出されたゼロ交差状態を示す信号を前記ゼロ交差検出入力部に選択的に供給するように動作する、請求項３記載の回路。
【請求項５】
前記パルス幅変調回路および前記推定器回路を含む特定用途向け集積回路を備える、請求項３記載の回路。
【請求項６】
前記遷移モードＰＷＭコントローラはゼロ交差検出入力部を含み、前記回路は、前記遷移モードＰＷＭコントローラに結合されたゼロ交差検出回路をさらに備え、前記ゼロ交差検出回路は、前記一次巻線に磁気的に結合された少なくとも１つの検出巻線を含み、前記ゼロ交差回路は、前記少なくとも１つの検出巻線を使用して前記一次巻線のゼロ交差状態を検出し、前記一次巻線の検出されたゼロ交差状態を示す信号を前記ゼロ交差検出入力部に選択的に供給するように動作する、請求項５記載の回路。
【請求項７】
前記パルス幅変調回路および前記推定器回路を含む特定用途向け集積回路を備える、請求項５記載の回路。
【請求項８】
前記第２のスイッチング装置は、ゲート、前記キャパシタンスの前記第２の端子に結合されたドレイン、および、前記回路接地部に結合されたソースを有する、ｐチャネルＭＯＳＦＥＴであり、前記推定器回路はインバータを備え、前記インバータは、前記パルス幅変調コントローラの前記駆動出力部に結合された入力部、および、前記第２のスイッチング装置の前記ゲートに結合された出力部を有する、請求項２記載の回路。
【請求項９】
前記遷移モードＰＷＭコントローラはゼロ交差検出入力部を含み、前記回路は、前記遷移モードＰＷＭコントローラに結合されたゼロ交差検出回路をさらに備え、前記ゼロ交差検出回路は、前記一次巻線に磁気的に結合された少なくとも１つの検出巻線を含み、前記ゼロ交差回路は、前記少なくとも１つの検出巻線を使用して前記一次巻線のゼロ交差状態を検出し、前記一次巻線の検出されたゼロ交差状態を示す信号を前記ゼロ交差検出入力部に選択的に供給するように動作する、請求項８記載の回路。
【請求項１０】
前記パルス幅変調回路および前記推定器回路を含む特定用途向け集積回路を備える、請求項８記載の回路。
【請求項１１】
前記第２のスイッチング装置は、前記キャパシタンスの前記第２の端子に結合されたソース、前記回路接地部に結合されたドレイン、および、前記パルス幅変調コントローラの前記駆動出力部に結合されたゲートを有する、ｎチャネルＭＯＳＦＥＴである、請求項１乃至１０のいずれかに記載の回路。
【請求項１２】
前記パルス幅変調回路および前記推定器回路を含む特定用途向け集積回路を備える、請求項１１記載の回路。
【請求項１３】
前記第２のスイッチング装置は、ゲート、前記キャパシタンスの前記第２の端子に結合されたドレイン、および、前記回路接地部に結合されたソースを有する、ｐチャネルＭＯＳＦＥＴであり、前記推定器回路はインバータを備え、前記インバータは、前記パルス幅変調コントローラの前記駆動出力部に結合された入力部、および、前記第２のスイッチング装置の前記ゲートに結合された出力部を有する、請求項１乃至１２のいずれかに記載の回路。
【請求項１４】
前記パルス幅変調回路および前記推定器回路を含む特定用途向け集積回路を備える、請求項１３記載の回路。
【請求項１５】
前記パルス幅変調回路および前記推定器回路を含む特定用途向け集積回路を備える、請求項１乃至１４のいずれかに記載の回路。
【請求項１６】
パルス幅変調電力コンバータ回路を動作させるための特定用途向け集積回路であって、前記特定用途向け集積回路は、
設定値入力端子と、
駆動出力端子と、
比較器入力端子と、
回路接地端子と、
ＰＷＭ制御入力部、前記比較器入力端子に結合された比較器入力部、および、前記ＰＷＭ制御入力部に少なくとも部分的にしたがって前記駆動出力端子にパルス幅変調制御信号を供給する駆動出力部を有する、パルス幅変調コントローラと、
前記設定値入力端子に結合された誤差入力部、および、前記パルス幅変調コントローラの前記ＰＷＭ制御入力部に信号を供給するように結合された出力部を含む、誤差増幅器と、
推定器回路とを備え、前記推定器回路は、
前記パルス幅変調コントローラの前記比較器入力部に結合された第１の端子、および、前記誤差増幅器の前記誤差入力部に結合された第２の端子を有する、キャパシタンスと、
前記キャパシタンスの前記第２の端子に結合された第１の電力端子、前記回路接地端子に結合された第２の電力端子、および、前記パルス幅変調コントローラの前記駆動出力部に結合された制御入力端子を備える、スイッチング装置とを備え、前記スイッチング装置は、前記パルス幅変調コントローラの前記駆動出力部にしたがって、前記比較器入力端子の検出電圧に基づいて前記キャパシタンスを充電させるように前記キャパシタンスの前記第２の端子を前記回路接地端子に選択的に結合し、前記キャパシタンスに前記誤差増幅器の前記誤差入力部に信号を供給させるように前記キャパシタンスの前記第２の端子を前記回路接地端子から分離するように動作する、特定用途向け集積回路。
【請求項１７】
前記ＰＷＭコントローラは遷移モードＰＷＭコントローラである、請求項１６記載の特定用途向け集積回路。
【請求項１８】
前記スイッチング装置は、前記キャパシタンスの前記第２の端子に結合されたソース、前記回路接地端子に結合されたドレイン、および、前記パルス幅変調コントローラの前記駆動出力部に結合されたゲートを有する、ｎチャネルＭＯＳＦＥＴである、請求項１６または１７に記載の特定用途向け集積回路。
【請求項１９】
前記スイッチング装置は、ゲート、前記キャパシタンスの前記第２の端子に結合されたドレイン、および、前記回路接地端子に結合されたソースを有する、ｐチャネルＭＯＳＦＥＴであって、前記推定器回路はインバータを備え、前記インバータは、前記パルス幅変調コントローラの前記駆動出力部に結合された入力部、および、前記スイッチング装置の前記ゲートに結合された出力部を有する、請求項１６乃至１８のいずれかに記載の特定用途向け集積回路。